(57)【要約】【課題】所定の条件を満たした際に、第１の被写体表示手段から第２の被写体表示手段への表示切り換えの推奨を操作者に通知し、適切なタイミングで切替制御を行う撮像装置を提供する。【解決手段】フォーカスレリーズの押下が検出されると、被写体測光結果がＬＶ１３以上であるか判断する。被写体測光結果がＬＶ１３以上であると判断された場合、ＷＢ−ｇａｉｎ値から演算される被写体光の色温度が４５００〜６０００Ｋであるかどうかを判断する。ＷＢ−ｇａｉｎ値から演算される被写体光の色温度が４５００〜６０００Ｋであると判断された場合、闘値ｔｈ１以上のスミア発生領域をＸがＡ以上であるかどうか判断する。闘値ｔｈ１以上のスミア発生領域をＸがＡ以上であると判断された場合、ＥＶＦ推奨をＬＣＤパネルに表示する。【選択図】図３
2008211756.tif 000002
【特許請求の範囲】
【請求項１】
撮影光学系と、
前記撮影光学系から入射される被写体象を電気信号に変換する撮像素子と、
前記撮像素子の出力信号を所定の形式に変換する画像処理部と、
前記画像処理部で処理された被写体像を表示する第１と第２の被写体表示手段とを有する撮像装置であって、
所定の条件を満たした際に、第１の被写体表示手段から第２の被写体表示手段への表示切り換えの推奨を操作者に通知する通知手段を有することを特徴とする撮像装置。
【請求項２】
前記所定の条件は、前記撮像装置の測光値が所定値以上であることを特徴とする請求項１に記載の撮像装置。
【請求項３】
前記所定の条件は、前記撮像装置のホワイトバランスゲイン値が所定の範囲内であることを特徴とする請求項１に記載の撮像装置。
【請求項４】
前記撮像素子は、ＣＣＤであり、前記所定の条件は、前記ＣＣＤの内部で発生する所定値以上のスミア強度が所定領域以上であることを特徴とする請求項１に記載の撮像装置。
【請求項５】
前記撮像素子は、ＣＣＤであり、前記所定の条件は、前記ＣＣＤの内部で発生する所定範囲のスミア強度が所定領域以上であることを特徴とする請求項１に記載の撮像装置。
【請求項６】
前記撮像素子は、ＣＣＤであり、前記通知手段は、撮像装置の測光値が所定値以上の場合、撮像装置のホワイトバランスゲイン値が所定の範囲内である場合、所定範囲のスミア強度が所定領域以上の場合、スミア強度が所定領域以上の場合のいずれか２つ以上の条件を基に通知することを特徴とする請求項１に記載の撮像装置。
【請求項７】
前記撮像装置は、フォーカスレリーズとシャッタレリーズの２段レリーズを有し、前記通知手段は、フォーカスレリーズ押下検出直前もしくは直後の映像信号を基に通知することを特徴とする請求項１から６のいずれか１項に記載の撮像装置。
【請求項８】
前記第１の被写体表示手段は、表示パネルであり、前記第２の被写体表示手段は、電子ビューファインダであることを特徴とする請求項１から７のいずれか１項に記載の撮像装置。
【発明の詳細な説明】
【技術分野】
【０００１】
本発明は、表示切り替えの制御を行う撮像装置に関する。
【背景技術】
【０００２】
デジタルカメラの被写体表示手段として、光学ファインダ、背面の液晶パネル、電子ビューファインダ（以下ＥＶＦ）などが一般的に知られている。
【０００３】
上記のファインダについてはそれぞれ、長所・短所があり、まとめると以下のような関係にあるといえる。
＜光学ファインダの長所＞
電力が不要である。
解像間が高くクリアに被写体をみることができる。
屋外の被写体の視認性がよい。
＜光学ファインダの短所＞
視野ずれ（パララックス）やケラレの発生。
暗い被写体は視認しづらい。
表示面積が小さい。
再生画像をみることができない。
＜液晶パネルの長所＞
表示面積が大きい。
再生画像を確認しやすい（覗き込まなくてもよい）。
視野ずれ（パララックス）やケラレの発生がなくせる。
暗い被写体でも増感すれば視認できる。
＜液晶パネルの短所＞
電力が多い。
屋外の被写体を視認しづらい。
＜ＥＶＦの長所＞
電力が少ない。
視野ずれ（パララックス）やケラレの発生がなくせる。
屋外の被写体の視認性がよい。
暗い被写体でも増感すれば視認できる。
＜ＥＶＦの短所＞
表示面積が小さい。
再生画像を確認しにくい（覗き込む必要がある）。
【０００４】
上述した被写体表示手段を２つ以上有する従来技術を開示する。
【０００５】
特許文献１では、ＬＣＤとＥＶＦを有するデジタルカメラの表示切替について記述している。これは、撮影時の表示と再生時の表示をＬＣＤとＥＶＦのどちらにするかについて言及されている従来技術が開示されている。
【０００６】
特許文献２では、電子ビューファインダに表示した画像全体の中から任意の領域を指定し、画像圧縮／伸張処理部は、指定された領域内の画像とその領域外の画像とを異なった解像度で圧縮処理し、画像メモリにその指定された領域の大きさおよび位置情報を圧縮された画像データと共に記録するデジタルカメラが開示されている。
【特許文献１】特開２００５−２６８８７号公報
【特許文献２】特開２０００−３５００７６号公報
【発明の開示】
【発明が解決しようとする課題】
【０００７】
銀塩カメラのファインダは光学ファインダが一般的であったが、デジタルカメラではデジタル一眼レフカメラを除き、液晶パネルが主流である。しかしながら上記の液晶パネルの短所である屋外での視認性の悪さは、新規技術の投入で改善されつつあるが依然として課題レベルである。
【０００８】
このため、液晶パネルとＥＶＦの双方を搭載することで液晶パネルの短所を補うデジタルカメラの表示切替制御が必要となる。
【０００９】
また特許文献１では、撮影時の表示の切り替え、切り替え案内を何をもとにして判断するかについて言及されていない。つまりは、表示の切り替えを行う切替手段を有し、切替手段により強制的に表示切り替えを行う。ユーザが任意に、切替手段により表示切り替えを行うとしても、具体的に、どのタイミングで表示を切り替えたら良いか、どういう条件で表示切り替えをすべきかを、操作者が知ることができない。
【００１０】
そこで本発明は、所定の条件を満たした際に、第１の被写体表示手段から第２の被写体表示手段への表示切り換えの推奨を操作者に通知することで、操作者が、適切なタイミングで切替制御を行うことが可能な撮像装置を提供することを目的とする。
【課題を解決するための手段】
【００１１】
上記の目的を達成するため、撮影光学系と、前記撮影光学系から入射される被写体象を電気信号に変換する撮像素子と、前記撮像素子の出力信号を所定の形式に変換する画像処理部と、前記画像処理部で処理された被写体像を表示する第１と第２の被写体表示手段とを有する撮像装置であって、所定の条件を満たした際に、第１の被写体表示手段から第２の被写体表示手段への表示切り換えの推奨を操作者に通知する通知手段を有する撮像装置であることを特徴とする。
【００１２】
請求項２に記載の発明は、請求項１に記載の撮像装置において、前記所定の条件は、前記撮像装置の測光値が所定値以上であることを特徴とする。
【００１３】
請求項３に記載の発明は、請求項１に記載の撮像装置において、前記所定の条件は、前記撮像装置のホワイトバランスゲイン値が所定の範囲内であることを特徴とする。
【００１４】
請求項４に記載の発明は、請求項１に記載の撮像装置において、前記撮像素子は、ＣＣＤであり、前記所定の条件は、前記ＣＣＤの内部で発生する所定値以上のスミア強度が所定領域以上であることを特徴とする。
【００１５】
請求項５に記載の発明は、請求項１に記載の撮像装置において、前記撮像素子は、ＣＣＤであり、前記所定の条件は、前記ＣＣＤの内部で発生する所定範囲のスミア強度が所定領域以上であることを特徴とする。
【００１６】
請求項６に記載の発明は、請求項１に記載の撮像装置において、前記撮像素子は、ＣＣＤであり、前記通知手段は、撮像装置の測光値が所定値以上の場合、撮像装置のホワイトバランスゲイン値が所定の範囲内である場合、所定範囲のスミア強度が所定領域以上の場合、スミア強度が所定領域以上の場合のいずれか２つ以上の条件を基に通知することを特徴とする。
【００１７】
請求項７に記載の発明は、請求項１から６のいずれか１項に記載の撮像装置において、前記撮像装置は、フォーカスレリーズとシャッタレリーズの２段レリーズを有し、前記通知手段は、フォーカスレリーズ押下検出直前もしくは直後の映像信号を基に通知することを特徴とする。
【００１８】
請求項８に記載の発明は、請求項１から７のいずれか１項に記載の撮像装置において、前記第１の被写体表示手段は、表示パネルであり、前記第２の被写体表示手段は、電子ビューファインダであることを特徴とする。
【発明の効果】
【００１９】
本発明によれば、所定の条件を満たした際に、第１の被写体表示手段から第２の被写体表示手段への表示切り換えの推奨を操作者に通知することで、操作者が、適切なタイミングで切替制御を行うことが可能な撮像装置を提供できる。
【発明を実施するための最良の形態】
【００２０】
本発明の好適な実施形態について説明する。本実施形態の撮像装置について図１を用いて説明する。図１は、本実施形態の撮像装置の構成を示すブロック図である。
【００２１】
光学ユニット１００は、レンズ１０１と、絞り・シャッタ１０２と、光学ローパスフィルタ１０３と、ＣＣＤ１０４とを有する。レンズ１０１は、フォーカス時、ズーム時、起動・停止時に、メカ的に位置をかえる。また、絞り・シャッタ１０２は、撮影時に適切な絞り径に切り替えたり、静止画撮影時にはシャッタの閉じ・開き動作を行う。光学系駆動部１０５は、これらを駆動する。
【００２２】
制御・演算部１２０は、光学系駆動部１０５に駆動指示を与える。ＣＣＤ１０４では、２次元に配列した受光素子部で結像した光学像が、電荷子に変換され、ＣＣＤ駆動部１０６から送信される複数本の転送信号タイミングによって外部に電気信号として出力される。ＣＣＤ１０４で出力した信号は、後段の画像処理部１１０で所定のフォーマットで画像処理され、記録画像は、圧縮・伸張処理部１２５と、画像記録Ｉ／Ｆ部１２６とを介して、最終的にはＳＤカードやコンパクトフラッシュ（登録商標）カードやＸＤピクチャーカードといったメディアにＪＰＥＧ画像として保存される。
【００２３】
記録前のモニタ状態で使用しているときは画像処理部で表示用画像として処理され、ＬＣＤパネル１２３若しくはＥＶＦ１２４に随時更新表示される。本実施形態の撮像装置では、このＬＣＤパネル１２３と、ＥＶＦ１２４とを所定の条件で、ユーザに対して表示切り替えの推奨を行う。所定の条件とは、撮像装置の測光値が所定値以上、撮像装置のホワイトバランス値が所定の範囲、ＣＣＤ内部で発生する所定値以上のスミア強度が所定領域以上、ＣＣＤ内部で発生する所定範囲のスミア強度が所定領域以上のいずれかである。
【００２４】
図１に示される本実施形態の撮像装置における画像処理部１１０の構成は、一例であって、これに限定されるものではない。一般的に画像処理部１１０は、多くの処理機能で構成されるが、今回は、代表的な機能としてＡＥ演算用データ取得部１１１と、ＡＷＢ演算用データ取得部１１２と、スミア検出・補正部１１３とを図示する。ＡＥ演算用データ取得部１１１は、ＣＣＤ１０４で得られる被写体像の輝度若しくはＧｒｅｅｎ信号分布を所定の範囲で取得するもので、これによって、露出を適正に処理する。
【００２５】
撮像装置の測光値が所定値以上の時に推奨を行う制御の場合では、ＡＥ演算用データ取得部１１１の取得結果及び絞り・シャッタ１０２の絞り値及びＣＣＤ１０４における露光時間によって、被写体を測光している。ＡＷＢ演算用データ取得部１１２は、ＣＣＤ１０４で得られる被写体像に対して、白色領域を抽出しその領域が表示・記録画像としても白色になる制御をするためのホワイトバランス制御用のデータを取得する機能である。撮像装置のホワイトバランスゲイン値が所定の範囲の時に推奨を行う制御の場合では、ＡＷＢ演算用データ取得部１１２の取得結果から算出されたホワイトバランスゲイン（ＲゲインやＢゲイン）からおよその色温度を推測している。スミア検出・補正部１１３は、ＣＣＤ１０４の垂直ＯＢ部でのスミアを検出し、有効画像部のスミア補正を行う機能である。所定値以上のスミア強度が所定領域以上の時に推奨を行う制御の場合と、所定範囲のスミア強度が所定領域以上の時に推奨を行う制御の場合とでは、ここでスミアの分布を検出している。
【００２６】
本実施形態によれば、液晶パネルは屋外で視認性が悪いという課題を解決し、撮像装置の測光値が所定値以上（例えばＬｖ１３以上）であれば屋外での撮影であると推測し、被写体表示手段として液晶パネルよりＥＶＦの使用が望ましい撮影環境であることを判断し、音声もしくは背面の液晶パネル表示によって被写体表示手段の切り替え推奨を操作者に案内することを可能とする。
【００２７】
また、撮像装置のホワイトバランスゲイン値が所定の範囲内（ホワイトバランスゲイン値からの演算により色温度が４５００から６０００Ｋ相当）であれば、太陽光下での撮影であると推測し、被写体表示手段として液晶パネルよりＥＶＦの使用が望ましい撮影環境であることを判断し、音声もしくは背面の液晶パネル表示によって被写体表示手段の切り替え推奨を操作者に案内することを可能とする。
【００２８】
本実施形態の撮像装置の液晶パネル表示について図２を用いて説明する。図２は、液晶パネル表示を示す図である。図２（ａ）、（ｂ）は屋外晴天下の液晶パネル表示例である。図２（ｃ）、（ｄ）、図２（ｅ）、（ｆ）、図２（ｇ）、（ｈ）は、室内での表示例を示す、
【００２９】
図２（ａ）、２（ｂ）は屋外晴天下の液晶パネル表示例である。左下の“１２８０Ｎ”は記録画素数と圧縮率、“３２”は残撮影枚数、“ＩＳＯ５０”は静止画記録時のＩＳＯ感度設定のＯＳＤ表示を示す。図２（ａ）は、屋外晴天下であるため、人物の背景である建造物の壁もスミア源となりうる。スミアの出力レベルを液晶パネル表示例の上にグラフ化した。これは垂直ＯＢ部に相当する座標で検出される出力成分を示したものである。横軸は水平画素に相当し、図示のように建造物と水平方向の同座標にスミアが発生していることがわかる。所定値以上のスミア強度が所定領域以上の時に推奨を行う制御の場合、閾値ｔｈ１以上のスミア発生領域をＸとするとＸ＝Ｘ１＋Ｘ２と成り、Ｘ＞Ａ（ＡはＬＣＤ・ＥＶＦ切り替え推奨を判定するスミア発生領域基準）の関係が成立するため撮像装置は、表示手段をＥＶＦ推奨とすることを判断する。操作者への通知手段としてＯＳＤ（ｏｎ  ｓｃｒｅｅｎ  ｄｉｓｐｌａｙ）による例示を図２（ｂ）に示す。
【００３０】
画面の一部に強烈光をいれると、その上下方向にスミアと呼ばれるＣＣＤ特有の現象が発生することは良く知られているが、晴天屋外の撮影は強い光源ではなくとも、建物の壁の反射光などでも弱いスミアの発生源となることが知られている。強烈光によるスミア分布は中心部の信号が飽和レベルにまで達し発生範囲は狭い特性を有するのに対し、晴天屋外における建物の壁の反射光によるスミア分布は信号レベルは弱く均一であり発生範囲は広い特性を有する。
【００３１】
本実施形態によれば、スミア分布から所定値以上のスミア強度が所定領域以上発生する場合は、晴天屋外での撮影であると推測し、被写体表示手段として液晶パネルよりＥＶＦの使用が望ましい撮影環境であることを判断し、音声もしくは背面の液晶パネル表示によって被写体表示手段の切り替え推奨を操作者に案内することを可能とする。
【００３２】
図２（ｃ）、（ｄ）に室内での表示例を示す、表示例では１対の蛍光灯がスミア源となっており、表示例の上にそのスミア発生状況をグラフ化した。蛍光灯によるスミア強度は強いが発生領域は狭く、所定値以上のスミア強度が所定領域以上の時に推奨を行う制御の場合はＸ＝Ｘ３＜ＡとなるためＥＶＦ切り替え推奨の判定は行わない。
【００３３】
ＣＣＤの上下左右にはＯＢ（オプティカルブラック）画素と呼ばれるアルミ遮光されている領域が存在する。この画素は映像信号の原点としてＣＣＤ後段の画像処理部で使われるが、モニターモードのようにメカニカルシャッタを用いない撮像方式の場合は、信号の原点として使うためには左右のＯＢ画素を使うことが一般的である。なぜなら、上下のＯＢ画素を読み出す垂直転送路は、スミア成分の侵入をＣＣＤの構造上避けることが出来ないため、スミアが発生している上下のＯＢ画素出力は、見掛けスミア強度と同等の出力を有することになり信号の原点としての役割が果たせないからである。しかし、近年ではこの現象をスミア補正機能として利用するようになっている。これは、後段の画像処理部で上下のＯＢ出力をモニタし、周囲若しくは左右のＯＢ出力より大きな値をスミア成分によるものと判定し、検出したＯＢ画素若しくはＯＢエリアの上下方向の有効画素出力に対してスミア成分を減算するものである。本実施形態ではこの検出機能を利用することを想定している。
【００３４】
図２（ｅ）、（ｆ）も室内での表示例を示す。表示例は５対の蛍光灯がスミア源となっている。このとき、所定値以上のスミア強度が所定領域以上の時に推奨を行う制御の場合は、Ｘ＝Ｘ４＋Ｘ５＋Ｘ６＋Ｘ７＋Ｘ８＞ＡとなるためＥＶＦ切り替え推奨の判定をおこなってしまう。しかし、このシーンにおいては実情としては液晶の視認性の悪い環境下ではなく、ある意味誤判定といえるものである。
【００３５】
本実施形態の撮像装置においては、表示手段の視認性を考慮し適切な制御もしくは表示をすることで、アプライアンス性向上の効果を得る。
【００３６】
図２（ｅ）、（ｆ）の改良として、図２（ｇ）、（ｈ）を示す。ＣＣＤ内部に所定範囲のスミア強度が所定領域以上の場合に切り替え推奨を行う制御の場合は、上限の閾値ｔｈ２を新たに設け、ｔｈ１以上ｔｈ２未満のスミア成分領域を積算する。この結果、Ｘ＝Ｘ４＋Ｘ５＜Ａと成るためＥＶＦ切り替え推奨の判定は行わない。
【００３７】
表示手段の切り替え推奨の判断を『所定範囲のスミア強度が所定領域以上の場合』とした場合、これは、光源の多いシーンを想定している。蛍光灯の多いオフィスや、繁華街などのイルミネーションが多い被写体では画面内に光源が多いためスミアを発生する領域が広くなる。このようなシーンでは表示手段をあえて切り替える必然はないが、『所定値以上のスミア強度が所定領域以上の場合』の判断方法では、切り替えを推奨してしまうケースが想定される。
【００３８】
本実施形態によれば、光源に起因する強いスミア成分は除外することで、晴天屋外の誤判断の低減化を実現できる。
【００３９】
本実施形態の撮像装置における撮像方法について図３を用いて説明する。図３は、本実施形態の撮像装置における撮像方法の第２のフローチャートを示す。
【００４０】
撮像装置の測光値が所定値以上の場合、撮像装置のホワイトバランスゲイン値が所定の範囲内の場合、所定値以上のスミア強度が所定領域以上の場合、所定範囲のスミア強度が所定領域以上の場合、これらのうちの２つ以上で、推奨の判定を行うとしても良いし、次に例示するもののように、これらのうちの３つを基に、３つ全てを判定要素として判定精度を上げても良いし、本実施形態に限定されるものではない。
【００４１】
フォーカスレリーズの押下が検出されると（ステップＳ１１）、被写体測光結果がＬＶ１３以上であるか判断する（ステップＳ１２）。被写体測光結果がＬＶ１３以上であると判断された場合（ステップＳ１２／ＹＥＳ）、ＷＢ−ｇａｉｎ値から演算される被写体光の色温度が４５００〜６０００Ｋであるかどうかを判断する（ステップＳ１３）。被写体測光結果がＬＶ１３以上でないと判断された場合（ステップＳ１２／ＮＯ）、処理を進めない。ＷＢ−ｇａｉｎ値から演算される被写体光の色温度が４５００〜６０００Ｋであると判断された場合（ステップＳ１３／ＹＥＳ）、闘値ｔｈ１以上のスミア発生領域をＸがＡ以上であるかどうか判断する（ステップＳ１４）。ＷＢ−ｇａｉｎ値から演算される被写体光の色温度が４５００〜６０００Ｋでないと判断された場合（ステップＳ１３／ＮＯ）、被写体測光結果がＬＶ１３以上であるか判断する処理に戻る（ステップＳ１２）。闘値ｔｈ１以上のスミア発生領域をＸがＡ以上であると判断された場合（ステップＳ１４／ＹＥＳ）、ＥＶＦ推奨をＬＣＤパネルに表示する（ステップＳ１５）。闘値ｔｈ１以上のスミア発生領域をＸがＡ以上でないと判断された場合（ステップＳ１４／ＮＯ）、被写体測光結果がＬＶ１３以上であるか判断する処理に戻る（ステップＳ１２）。
【００４２】
本実施形態の撮像装置における撮像方法について図４を用いて説明する。図４は、本実施形態の撮像装置における撮像方法の第２のフローチャートを示す。
【００４３】
フォーカスレリーズの押下が検出されると（ステップＳ２１）、被写体測光結果がＬＶ１３以上であるか判断する（ステップＳ２２）。被写体測光結果がＬＶ１３以上であると判断された場合（ステップＳ２２／ＹＥＳ）、ＷＢ−ｇａｉｎ値から演算される被写体光の色温度が４５００〜６０００Ｋであるかどうかを判断する（ステップＳ２３）。被写体測光結果がＬＶ１３以上でないと判断された場合（ステップＳ２２／ＮＯ）、処理を進めない。ＷＢ−ｇａｉｎ値から演算される被写体光の色温度が４５００〜６０００Ｋであると判断された場合（ステップＳ２３／ＹＥＳ）、闘値ｔｈ１以上ｔｈ２未満のスミア発生領域をＸがＡ以上であるかどうか判断する（ステップＳ２４）。ＷＢ−ｇａｉｎ値から演算される被写体光の色温度が４５００〜６０００Ｋでないと判断された場合（ステップＳ２３／ＮＯ）、被写体測光結果がＬＶ１３以上であるか判断する処理に戻る（ステップＳ２２）。闘値ｔｈ１以上ｔｈ２未満のスミア発生領域をＸがＡ以上であると判断された場合（ステップＳ２４／ＹＥＳ）、ＥＶＦ推奨をＬＣＤパネルに表示する（ステップＳ２５）。闘値ｔｈ１以上ｔｈ２未満のスミア発生領域をＸがＡ以上でないと判断された場合（ステップＳ２４／ＮＯ）、被写体測光結果がＬＶ１３以上であるか判断する処理に戻る（ステップＳ２２）。
【００４４】
本実施形態では、表示手段の切り替えの判断材料をそれぞれひとつづつの場合は、実際には誤判断となるケースが大いに想定されるので、精度を高めるために、撮像装置の測光値が所定値以上の場合、撮像装置のホワイトバランスゲイン値が所定の範囲内の場合、所定値以上のスミア強度が所定領域以上の場合、所定の範囲内のスミア強度が所定領域以上の場合、のこれらを複合して判断することで、より精度を高めることも可能とした。
【００４５】
本実施形態では、フォーカスレリーズの直前もしくは直後に取得した映像信号で判断することにより、フレーミングし画角が決まった状態で判定結果を操作者に通知することができる。これにより、通知頻度や通知タイミングとして適切な表示手段切り替えの判断タイミングを操作者に通知することが可能となる。さらには、誤判断の確率を低減させる効果を得る。
【図面の簡単な説明】
【００４６】
【図１】本実施形態の撮像装置の構成を示すブロック図である。
【図２】本実施形態の撮像装置の液晶パネル表示を示す図である。
【図３】本実施形態の撮像装置における撮像方法を示す第１フローチャート図である。
【図４】本実施形態の撮像装置における撮像方法を示す第２フローチャート図である。
【符号の説明】
【００４７】
１００    光学ユニット
１０１    レンズ
１０２    絞り・シャッタ
１０３    光学ローパス・フィルタ
１０４    ＣＣＤ
１０５    光学系駆動部
１０６    ＣＣＤ駆動部
１１０    画像処理部
１１１    ＡＥ演算用データ取得部
１１２    ＡＷＢ演算用データ取得部
１１３    スミア検出部・補正部
１２０    制御・演算部
１２１    プログラム用メモリ
１２２    操作部
１２３    ＬＣＤパネル
１２４    ＥＶＦ
１２５    圧縮・伸張処理部
１２６    画像記録Ｉ／Ｆ部
１２７    画像バッファメモリ
【図１】
2008211756.tif 000003
【図２】
2008211756.tif 000004
【図３】
2008211756.tif 000005
【図４】
2008211756.tif 000006